(57)【要約】【課題】  くせ髭を能率良く剃ることができ、剃り味を向上させる。【解決手段】  本体部１０に装着されるヘッド部１２に、断面略逆Ｌ字状のトリマー刃１６Ａを備える往復式電気かみそりにおいて、トリマー刃１６Ａは、断面逆Ｌ字状に折曲した固定外刃１８Ａと、この固定外刃１８Ａの内面に摺接する可動内刃２０とを備え、固定外刃１８Ａはその上端の水平折曲部２４Ａにこの水平折曲部２４Ａの開放端２６Ａ側に向かって開く第１のスリット２８Ａおよび折曲角３０Ａ側に向かって開く第２のスリット２９Ａを有しこれらのスリット２８Ａ、２９Ａに入った髭を可動内刃２０と協働して切断する。【選択図】      図１
2006255260.tif 000002
【特許請求の範囲】
【請求項１】
本体部に装着されるヘッド部に、断面略逆Ｌ字状のトリマー刃を備える往復式電気かみそりにおいて、
前記トリマー刃は、断面逆Ｌ字状に折曲した固定外刃と、この固定外刃の内面に摺接する可動内刃とを備え、前記固定外刃はその上端の水平折曲部にこの水平折曲部の開放端側に向かって開く第１のスリットおよび折曲角側に向かって開く第２のスリットを有しこれらのスリットに入った髭を前記可動内刃と協働して切断することを特徴とする往復式電気かみそり。
【請求項２】
固定外刃に形成する第１のスリットと第２のスリットは可動内刃の往復方向に交互に配列されている請求項１の往復式電気かみそり。
【請求項３】
第１のスリットは水平折曲部の開放端側のみに開き、第２のスリットは水平折曲部の折曲角側および開放端側の両方に開いている請求項１または２の往復式電気かみそり。
【請求項４】
可動内刃はその上端に水平折曲部を持ち、この水平折曲部には固定外刃の水平折曲部の開放端側および折曲角側に向かって開くスリットが形成されている請求項１〜３のいずれかの往復式電気かみそり。
【請求項５】
固定外刃の水平折曲部の開放端側は下方へ僅かに折曲されている請求項４の往復式電気かみそり。
【発明の詳細な説明】
【技術分野】
【０００１】
この発明は、断面略逆Ｌ字状のトリマー刃を備える往復式電気かみそりに関するものである。
【背景技術】
【０００２】
往復式電気かみそりは、アーチ状に湾曲させた固定外刃の内面に可動内刃を摺接させ、外刃の髭導入孔に入った髭を内刃により切断する仕上げ刃を備えている。またこの仕上げ刃とは別にトリマー刃を備えるものも公知である。このトリマー刃は主としてくせ髭をうまく誘い込んでカットするために外刃のパターンをスリット状にしたものである。すなわち仕上げ刃は外刃に多数の小孔からなる髭導入孔を持つため、比較的真っ直ぐな髭はこの髭導入孔に入り易いのに対して、曲がったくせ髭は入りにくいという問題がある。
【０００３】
一方トリマー刃は略逆Ｌ字状の断面を持ち外刃の水平折曲部にその開放端側に開くスリットを形成し、スリットの間に残る櫛状の部分で髭を掻き起こしてスリットに導くことによってカットするため、曲がったくせ髭を良好にカットできるものである。
【０００４】
【特許文献１】特開２０００−８４２７０
【０００５】
この特許文献１には、アーチ状の仕上げ用刃（引用文献１の図５で符号５で示されている。）と、矩形状の粗剃り用スリット刃（同じく符号６）と、断面逆Ｌ字状のトリマー刃（同じく符号７）とをそれぞれ並列に設けたものが示されている。ここに示されたトリマー刃（７）は、外刃（上固定刃７１、同じく図６〜９参照））の先端（開放端）側に開くスリット（スリット刃７５）に髭を入れて内刃（下可動刃７２）でカットするものである。なおここには外刃の折曲部に上方へ隆起するスリット孔刃（７６）を設けることが示されているが、このスリット孔刃（７６）は隣接する仕上げ用刃（５）に導くくせ髭を掻き起こすものであり、髭をカットするための刃ではない（引用文献１の段落００２１，００２２参照）。
【０００６】
図６はこの種の他の往復式電気かみそりの斜視図、図７はそのトリマー刃の拡大斜視図、図８はその分解斜視図である。また図９はこのトリマー刃の固定外刃のスリット形状を示す図であって、平面図（Ａ）と、右側面図（Ｂ）と、平面図（Ａ）においてＣ−Ｃ線で断面した断面図（Ｃ）である。
【０００７】
図６において符号１０は本体部であり、その上部にヘッド部１２が着脱可能に装着されている。本体部１０には電動モータ（図示せず）および充電可能な電池（図示せず）が内蔵されている。ヘッド部１２には一対の仕上げ刃１４，１４と、それらの間に挟まれたトリマー刃１６とが並設されている。
【０００８】
仕上げ刃１４は、アーチ状に湾曲した薄い金属板からなる固定外刃と、この固定外刃の内側で往復動する可動内刃（図示せず）を持つ。外刃には多数の小孔（髭導入孔）が開口する。内刃はその往復方向に直交する多数のアーチ状の小刃を並べたものであり、外刃の小孔に入った髭を内刃でカットする。
【０００９】
トリマー刃１６は図８に示すように断面略逆Ｌ字状の固定外刃（以下単に外刃ともいう）１８と、この固定外刃１８の内側で往復動する可動内刃（以下単に内刃ともいう）２０とを組合せたものである。固定外刃１８は、平坦な立壁部２２とその上端を水平に折曲した水平折曲部２４とを持つ。水平折曲部２４にはその開放端２６側に向かって開く多数のスリット２８が形成されている。これらのスリット２８は図９に明らかなように、開放端２６の反対側すなわち折曲角部３０側は閉じている。ここにスリット２８は立壁部２２の長手方向、すなわち内刃２０の往復方向に対して直交している。
【００１０】
内刃２０は略逆Ｌ字型であり、下方に延びる支持部３２とその上端を水平に折曲した水平折曲部３４とを持つ。水平折曲部３４にはその開放端側に向かって開く多数のスリット３６が形成されている。このため外刃１８と内刃２０の水平折曲部２４，３４はスリット２８，３６の間に残る部分によってほぼ櫛刃状になっている。なお外刃１８の水平折曲部２４の開放端２６は僅かに下方へカギ状に折曲され、内刃２０の水平折曲部３４の開放端を隠している。
【００１１】
これら外刃１８と内刃２０とは図７に示すように組合せて一体化される。図８に示すように、内刃２０の支持部３２には摺動板３８が固定され、この摺動板３８の両側縁には、羽根状に延びる一対の板ばね４０，４０が固定されている。外刃１８はその両端を一対の樹脂製の端部材４２，４２に差込まれて保持される。
【００１２】
内刃２０はこの外刃１８の内側に装填され、この時摺動板３８に保持した板ばね４０，４０の先端が端部材４２，４２の水平面４４，４４に上から当接する。このため内刃２０はこの板ばね４０，４０により上向きに押され、外刃１８に下方から弾性的に押圧される。この状態で端部材４２に外刃１８の立壁２２の反対側から押さえ板４６が取付けられる。ここに押さえ板４６は、左右一対の爪部４８，４８を端部材４２の係合孔５０，５０に圧入することにより端部材４２，４２に固定される。
【００１３】
この結果内刃２０と摺動板３８は外刃１８の立壁部２２と押さえ板４６の間に挟まれて往復動自在に保持される。また内刃２０は板ばね４０，４０によって上方へ押され内刃２０の水平折曲部３４の上面が外刃１８の水平折曲部２４の下面に弾性的に接触する。摺動板３８に設けた下方に開く溝５２には前記本体部１０のモータにより往復駆動されるピン（図示せず）が係合し、内刃２０が往復動する。髭は外刃１８のスリット２８に入り、往復動する内刃２０によってカットされる。  
【発明の開示】
【発明が解決しようとする課題】
【００１４】
この従来のものでは、外刃１８の全てのスリット２８は水平折曲部２４の開放端２６側に向かって開いている。このためヘッド部１２を図６で左下方向、すなわちスリット２８の開く方向に向かって移動させる時には、髭がスリット２８に順調に進入しカットできる。しかしヘッド１２を反対側へ移動する時には髭をスリット２８に円滑に導くことができない。このためくせ髭を十分にカットできないという問題があった。
【００１５】
この問題を解決するために、スリット２８を開放端側だけでなくその反対側である折曲角２７側にも開くことが考えられる。しかしこのようにするとスリット２８の間に残る櫛刃状の部分の強度が低下するという問題が生じる。
【００１６】
この発明はこのような事情に鑑みなされたものであり、ヘッド部の移動方向によりくせ髭が剃れなかったり剃り味が大きく変化するのを防ぎ、くせ髭を十分に能率良く剃ることができ、剃り味を向上させることができ、さらに外刃の強度も十分に確保することができる往復式電気かみそりを提供することを目的とする。
【課題を解決するための手段】
【００１７】
この発明によればこの目的は、本体部に装着されるヘッド部に、断面略逆Ｌ字状のトリマー刃を備える往復式電気かみそりにおいて、前記トリマー刃は、断面逆Ｌ字状に折曲した固定外刃と、この固定外刃の内面に摺接する可動内刃とを備え、前記固定外刃はその上端の水平折曲部にこの水平折曲部の開放端側に向かって開く第１のスリットおよび折曲角側に向かって開く第２のスリットを有しこれらのスリットに入った髭を前記可動内刃と協働して切断することを特徴とする往復式電気かみそり、により達成される。
【発明の効果】
【００１８】
固定外刃（１８Ａ）の水平折曲部（２４Ａ）には、その開放端（２６Ａ）側に向かって開く第１のスリット（２８Ａ）と、この開放端（２６Ａ）と反対側である折曲角（３０Ａ）側に向かって開く第２のスリット（２９Ａ）とを設けてあるので、ヘッド部（１２）を水平折曲部（２４Ａ）の開放端（２６Ａ）側へ移動する時には、髭は第１のスリット（２８Ａ）に円滑に進入する。またヘッド部（１２）を水平折曲部（２４Ａ）の折曲角（３０Ａ）側に移動する時には、髭は第２のスリット（２９Ａ）に円滑に進入する。第１または第２のスリット（２８Ａ、２９Ａ）に入った髭は往復動する内刃（２０Ａ）によってカットされる。また第１，第２のスリット（２８Ａ、２９Ａ）は固定外刃（１８Ａ）の水平折曲部（２４Ａ）を幅方向に横断していないので、固定外刃（１８Ａ）の強度も十分大きく保つことができる。なおカッコ内の符号は図１の実施例１のものを示している。
【００１９】
第１，第２のスリット（２８Ａ、２９Ａ）は水平折曲部（２４Ａ）の開放端（２６Ａ）と折曲角（３０Ａ）とにそれぞれ開いているので、ヘッド部（１２）を開放端（２６Ａ）側および折曲角（３０Ａ）側の両方への移動に対して真っ直ぐな髭は勿論曲がったくせ髭であってもスリットに円滑に導入してカットできるので、髭を能率良く剃ることができ、剃り味を向上させることができる。
【発明を実施するための最良の形態】
【００２０】
第１のスリットと第２のスリットは交互に配列するのが望ましい（請求項２）。この場合ヘッド部の移動方向による剃り味の変化を均等化できるからである。しかし第１のスリットと第２のスリットとはその一方のスリットを複数連続させ他のスリットを１つまたは複数連続させてその間に入れるように並べてもよい。要するに第１のスリットと第２のスリットとが隣接する部分を外刃に設けたものであればよい。
【００２１】
第１および第２のスリットの一方は水平折曲部の両側（開放端側および折曲角側）に開くようにしてもよい。例えば第１のスリットは開放端側だけに開口させ、第２のスリットは両側に開くようにすることができる（請求項３）。この外刃に対して組合せて用いる内刃は、その上端に水平折曲部を持ち、この水平折曲部を幅方向（往復動方向に対して直交する方向）に横断するスリットを設けておくのがよい。すなわちこの水平折曲部の開放端側と折曲角側とに向かって開くスリットを設けておくのである（請求項４）。
【００２２】
このようにすれば、外刃の開放端側および折曲角側の両方から入った髭を内刃のスリットにより円滑にカットできるからである。内刃のスリットは、外刃の第１および第２のスリットと同様に、開放端側に開くスリットと折曲角側に開くスリットとを別々に設けてもよい。
【００２３】
外刃の水平折曲部の開放端側は、下方へ僅かに折曲して内刃の開放端側の先端を隠すようにしてもよい（請求項５）。この場合外刃の水平折曲部の開放端側に接触した皮膚が外刃の内側に進入せず、内刃に皮膚が接触するおそれがない。
【実施例１】
【００２４】
図１は本発明に係るトリマー刃１６Ａを示すものであり、（Ａ）は平面図、（Ｂ）は右側面図、（Ｃ）は図（Ａ）におけるＣ−Ｃ線断面図、（Ｄ）は同じくＤ−Ｄ線断面図である。このトリマー刃１６Ａは前記図６〜９に示した従来装置におけるトリマー刃１６に代えて用いるものである。このためトリマー刃１６と同一部分には同一符号を付し、異なる部分には対応する部分の符号に符号Ａ等を付したので、同一部分および対応する部分の説明は繰り返さず、以下主として異なる部分を説明する。
【００２５】
この図１の実施例では、トリマー刃１６Ａの外刃１８Ａだけが図６〜９に示すものとは異なる。この外刃１８Ａは、水平折曲部２４Ａの開放端２６Ａに向かって開く第１のスリット２８Ａと、反対側の折曲角３０Ａ側に開く第２のスリット２９Ａとを交互に配列したものである。ここに第１のスリット２８Ａの開口は、図１（Ａ）に示すように両側の開口縁が円弧状に広がり、髭を導入し易くしている。
【００２６】
内刃２０は前記図８〜９に示すものと同じであるが、その水平折曲部３４に設けるスリット３６は、水平折曲部３４を幅方向に横断するように形成されている。このため第１のスリット２８Ａおよび第２のスリット２９Ａに入った髭は内刃２０のスリット３６に両側から入り、円滑にカットされる。
【実施例２】
【００２７】
図２は他のトリマー刃１６Ｂを示すものであり、（Ａ）は平面図、（Ｂ）は右側面図、（Ｃ）は図（Ａ）におけるＣ−Ｃ線断面図、（Ｄ）は同じくＤ−Ｄ線断面図である。この図では内刃２０は図１，８，９に示すものと同じであるから図示を省いている。
【００２８】
この実施例では、トリマー刃１６Ｂの外刃１８Ｂは、水平折曲部２４Ｂの開放端２６Ｂに向かって開く第１のスリット２８Ｂと、反対側の折曲角３０Ｂ側に開く第２のスリット２９Ｂとを交互に配列したものである。ここに開放端２６Ｂには、第１のスリット２８Ｂの間に短いスリット２８Ｂａが開いている。
【００２９】
この実施例によれば開放端２６Ｂ側に第１のスリット２８Ｂおよび短いスリット２８Ｂａが開くので、倒れたり曲がったくせ髭を起こす効果が増大し、くせ髭を起立させつつヘッド部を往復動させることによって第１，第２のスリット２８Ｂ、２９Ｂに導入し、カットすることができる。
【実施例３】
【００３０】
図３は他のトリマー刃１６Ｃを示すものであり、（Ａ）は平面図、（Ｂ）は右側面図、（Ｃ）は図（Ａ）におけるＣ−Ｃ線断面図、（Ｄ）は同じくＤ−Ｄ線断面図である。
【００３１】
この実施例では、トリマー刃１６Ｃの外刃１８Ｃは水平折曲部２４Ｃの開放端２６Ｃにのみ開く第１のスリット２８Ｃと、両側に向かって開く第２のスリット２９Ｃとを交互に配列したものである。すなわち第２のスリット２９Ｃは水平折曲部２４Ｃを幅方向に横断し、開放端２６Ｃ側と折曲角３０Ｃ側とに開口している。
【００３２】
この実施例によれば、外刃１８Ｃを図３（Ａ）で左方向へ移動させる時には、髭は第１および第２のスリット２８Ｃ、２９Ｃに入り、内刃２０でカットされる一方、外刃１８Ｃを図３（Ａ）で右方向へ移動させる時には、髭は第２のスリット２９Ｃに入ってカットされる。このためスリット２８Ｃ、２９Ｃの間隔（ピッチ）を前記図１，２の実施例と同じにした場合には、開放端２６Ｃ側に開くスリット２８Ｃ、２９Ｃの間隔が半分になる。従って外刃１８Ｃを図３（Ａ）で左側へ移動させる時には髭をカットする能率が格段に（理論上約２倍に）向上することになる。
【実施例４】
【００３３】
図４はさらに他のトリマー刃１６Ｄを示すものであり、（Ａ）は平面図、（Ｂ）は右側面図、（Ｃ）は図（Ａ）におけるＣ−Ｃ線断面図、（Ｄ）は同じくＤ−Ｄ線断面図である。図５はこの外刃１８Ｄの一部を拡大した斜視図である。この実施例のトリマー刃１６Ｄの外刃１８Ｄは、前記図１のものに似ているので、同一部分には同一符号を付し、その説明は繰り返さない。
【００３４】
図４のトリマー刃１６Ｄが図１のものと異なるのは、水平折曲部２４Ａの折曲角３０Ａ側に開く第２のスリット２９Ａの入口の下方に窓２９Ａａを設けた点である。すなわち図５に示すように、第２のスリット２９Ａの開口２９Ａｂの幅を拡げて窓２９Ａａの開口幅につなげるものである。
【００３５】
この実施例によれば、第２のスリット２９Ａの開口２９Ａｂが窓２９Ａａにつながる壁２９Ａｃが窓２９Ａａの上辺に突出することになる。このためトリマー１６Ｄを図４（Ａ）で右側へ移動させる時に、くせ髭はこの壁２９Ａｃに案内されて窓２９Ａａに入りつつ髭の根元が第２のスリット２９Ａに進入する。すなわち壁２９Ａｃがくせ髭を起立させつつ第２のスリット２９Ａに円滑に導く。この結果トリマー刃１６Ｄを図４（Ａ）で右側へ移動させる時にもくせ髭を能率良く剃ることができる。
【図面の簡単な説明】
【００３６】
【図１】本発明の一実施例であるトリマー刃を示す図
【図２】他の実施例のトリマー刃を示す図
【図３】他の実施例のトリマー刃を示す図
【図４】他の実施例のトリマー刃を示す図
【図５】図４の外刃を一部拡大して示す斜視図
【図６】電気かみそりの全体図
【図７】従来のトリマー刃の斜視図
【図８】同じく分解斜視図
【図９】同じくトリマーを示す図
【符号の説明】
【００３７】
１０  本体部
１２  ヘッド部
１４  仕上げ刃
１６Ａ〜１６Ｄ  トリマー刃
１８Ａ〜１８Ｄ  固定外刃
２０  可動内刃
２２  立壁部
２４Ａ〜２４Ｄ  水平折曲部
２６Ａ〜２６Ｄ  開放端
２８Ａ〜２８Ｃ  第１のスリット
２９Ａ〜２９Ｃ  第２のスリット
３０Ａ〜３０Ｃ  折曲角
【図１】
2006255260.tif 000003
【図２】
2006255260.tif 000004
【図３】
2006255260.tif 000005
【図４】
2006255260.tif 000006
【図５】
2006255260.tif 000007
【図６】
2006255260.tif 000008
【図７】
2006255260.tif 000009
【図８】
2006255260.tif 000010
【図９】
2006255260.tif 000011